(57)【要約】【課題】  階段途中や屋上避難場所などを連続したラセン階段式とするのでなく一部に標準的踏板面より可成り広目の平坦面状の中途踊り場を作って実質避難面積を広く確保することができるとともにその平坦な中途踊り場を利用して避難者は避難途中に一休みすることができしかも避難者の上方への吊上げ救助スペースとしても利用できるようにした津波避難用装置を提供することを目的とする。【解決手段】  設置基盤には垂直に支柱が立設され、この支柱の周りを介して複数枚の踏板が上方へ向けてラセン状をなすように配備されて階段を形成するとともに、支柱の上端には避難ベースが形成されてなる津波避難用装置であって、前記階段の登降途中位置には、踏板複数枚分の広さの平坦面状の中途踊り場が形成されている。【選択図】図１
2018115540.tif 000002
【特許請求の範囲】
【請求項１】
設置基盤には垂直に支柱が立設され、この支柱の周りを介して複数枚の踏板が上方へ向けてラセン状をなすように配備されて階段を形成するとともに、支柱の上端には避難ベースが形成されてなる津波避難用装置であって、前記階段の登降途中位置には、踏板複数枚分の広さの平坦面状の中途踊り場が形成されている津波避難用装置。
【発明の詳細な説明】
【技術分野】
【０００１】  本発明は、津波避難用装置に関する。
【背景技術】
【０００２】  津波避難用の対策装置が各種提案実施されているが、複数本の垂直な支柱とそれらの間を縦横に繋ぐ桁材・梁材とでもって立体鉄骨構造となし、その屋上に避難ステージを設定するとともに避難者を避難ステージまで導くための斜め階段あるいはスロープなどの登降手段を有して構成されているものが一般的であり、多くの人を避難させ得るものとして多く設置されている。その一方、家庭用や近隣者用、一企業向けなど１０人ないし２０人程度の少人数の避難用装置の要求もあることから、その具体的装置の一つとして特許文献１の図３２に示すものを提案した。【０００３】
【特許文献１】特開２００４−３３９９２０
【発明の概要】
【発明が解決しようとする課題】
【０００４】  特許文献１の図３２に示す実施形態は、単一本の支柱３００を地盤３０１に垂直に埋め込んで立設した津波からの避難タワー（津波避難用装置）に関するもので、支柱３００は、丸や角などのパイプ製で、その外周にはラセン状（螺旋状）をした階段３０２が一体化されるとともに、上端には避難ベース３０３が水平に固定されている。避難ベース３０３には階段につながる通穴が形成されるとともに手摺り３０４が周囲に立設されている。階段３０２のまわりには縦向きのパイプでもよいが図示では津波を避けるためラセン面状の波避け側面材３０５が設けられている。３０６は、支柱上端に設けた天板である。
この津波避難用装置は、ラセン状の階段３０２をもつので狭いスペースであってもコンパクトに設置が可能でありまた連続して駆け登ることができて避難が速くできる点で避難用として有利であるが、階段３０２は扇状の部分円でなる踏板を避難ベース３０３に至るまで連続的に配備してなっているので、差程多くの人を避難させることができないものである。すなわち、避難ベース３０３にはラセン階段３０２を登ってくる際に頭が当たらないようにするためのラセン通穴が大きく開けられている関係でその通穴の残った平面部分が避難面積であってそれは狭いものであり、またラセン階段３０２の避難可能な上部についても部分円状の踏板の複数枚分にしか過ぎないものであるため、これら避難ベース３０３と階段上部とを合わせた実質避難可能面積は狭くて多くの人を安全避難させ得るものとは言えない。また、階段３０２はラセン状で連続したものになっているので、災害弱者にとっては避難途中で一休みしたくても狭いスペース上ではそれが充分にできず他の登ってくる避難者の避難の障害にもなるものであった。【０００５】  本発明は、このような問題を解決しようとするものであり、階段途中や屋上避難場所などを連続したラセン階段式とするのでなく一部に標準的踏板面より可成り広目の平坦面を作って実質避難面積を広く確保することができるとともにその平坦面を利用して避難者は避難途中に一休みすることができしかも避難者の上方への吊上げ救助スペースとしても利用できるようにした津波避難用装置を提供することを目的とする。
【課題を解決するための手段】
【０００６】  本発明は上記目的を達成するため、請求項１に記載の発明は、設置基盤には垂直に支柱が立設され、この支柱の周りを介して複数枚の踏板が上方へ向けてラセン状をなすように配備されて階段を形成するとともに、支柱の上端には避難ベースが形成されてなる津波避難用装置であって、前記階段の登降途中位置には、踏板複数枚分の広さの平坦面状の中途踊り場が形成されている。
【発明の効果】
【０００７】  上述したように本発明は、設置基盤には垂直に支柱が立設され、この支柱の周りを介して複数枚の踏板が上方へ向けてラセン状をなすように配備されて階段を形成するとともに、支柱の上端には避難ベースが形成されてなる津波避難用装置であって、前記階段の登降途中位置には、踏板複数枚分の広さの平坦面状の中途踊り場が形成されているので、階段途中や屋上避難場所などを連続したラセン階段式とするのでなく一部に標準的踏板面より可成り広目の平坦面状の中途踊り場を作って実質避難面積を広く確保することができるとともにその平坦な中途踊り場を利用して避難者は避難途中に一休みすることができしかも避難者の上方への吊上げ救助スペースとしても利用できるようにした津波避難用装置を提供することができる。
【図面の簡単な説明】
【０００８】
【図１】  本発明である津波避難用装置の第１実施形態を正面からみて示す縦断面正面図。
【図２】  図１のＩＩ−ＩＩ線に対応する断面図。
【図３】  図１のＩＩＩ−ＩＩＩ線断面図。
【図４】  図１のＩＶ−ＩＶ線断面図。
【図５】  津波避難用装置の他の実施形態を示す縦断面正面図。
【図６】  他の実施形態を示す正面図。
【図７】  他の実施形態を示す正面図。
【図８】  他の実施形態を図９のＶＩＩＩ−ＶＩＩＩ線に対応して示す横断面図。
【図９】  図８のＩＸ−ＩＸ線に対応して示す断面図。
【図１０】  他の実施形態を示す津波避難用装置の縦断面正面図。
【図１１】  他の実施形態を示す津波避難用装置の縦断面正面図。
【図１２】  付加的な提案例を示す断面図。
【図１３】  プレート穴明け方法を示す斜視断面図。
【図１４】  プレート穴明け方法の他の例を示す縦断面図。
【発明を実施するための形態】
【０００９】  図１および図２は本発明の第１実施形態を示すもので、１は設置基盤で、地盤である場合と地盤に打設したコンクリート基盤である場合とがある。この設置基盤１には、垂直な支柱２が基部を基盤１中に埋め込む形で高く立設されている。支柱２は、直径が５０ないし６０ｃｍの丸パイプ製（角パイプ製でもよい）で地上に立ち上がった高さが約８ｍ（Ｈ＝６ｍ、ｈ＝２ｍ）になっている。支柱２の地下に埋設された長さは５ないし６ｍである。
【００１０】  ３は下部ラセン階段で、扇形の一部円でなる標準的な下部踏板４…が上からみて１周分弱（７／８周）をもって図４の下端点ａと上端点ｂまでラセン状に登るように設けられるとともに、その外周に沿って登るように固定された下部ラセン側周板５を備えてなっている。
６は下部ラセン階段３への避難入口となる蹴破りドアフレームであって、側方からも進入できない構造を採っている。下部ラセン階段３は蹴込み板を備える場合は、その蹴込み板と踏板４とは一体プレス製とする。
７は下部ラセン手摺で、１．５ｍ前後の高さとしてあるが、２ｍ前後に高くして安全性を向上するようにしてもよい。手摺７に沿って強化樹脂製ガードを張設してもよい。
【００１１】  １０は第１中途踊り場で、図４のｂ点からｃ点まで１／４周（２／８周）分に相当する角度範囲となるような二等辺三角形をした平坦面部をもった広い踊り場とされている。
図４の二等辺三角形の底辺部分は同図左下欄のように円弧状にして１／４円板状を形成し踊り場１０がやや広目になるようにしてもよい。１１は第１踊り場前板、１２は第１踊り場手摺である。
【００１２】  １５は上部ラセン階段で、扇形の一部円でなる標準的な上部踏板１６…が上からみて１周分弱（７／８周＝１４枚）をもって図３のｃ点からｄ点までラセン状に登るように設けられるとともに、その外周に沿って登るように固定された上部ラセン側周板１７を備えてなっている。上部ラセン階段１５は蹴込み板を備える場合は、その蹴込み板と踏板１６…とは一体プレス製とする。
１７は上部ラセン手摺で、１．５ｍ前後の高さとしてあるが、２ｍ前後に高くして安全性を向上するようにしてもよい。手摺１７に沿って強化樹脂製ガードを張設してもよい。
【００１３】  ２０は第２中途踊り場で、図３のｄ点からｅ点まで１／２周分（４／８周分）に相当する角度範囲となるような四角形と１／４円形とをプラスした平坦面部をもった広い踊り場とされている。１／４円形部分は図３に仮想線で示すようにその前側平坦面部と同様な四角形にして全体が矩形をしたより広い平坦面部を提供できるようにしてもよい。
２１は第２踊り場側板、２２は第２踊り場手摺である。
【００１４】  支柱２は第２中途踊り場２０よりもさらにｈ（２ｍ）分追加的に高く伸びている。高さＨはその装置が設置される地域の想定津波高さであるが、この場合さらにｈ分高くして安全を確保するようにしてある。
２５は屋上避難場で、トラック積み込み可能な寸法である直径Ｗ＝２．２〜２．４ｍに制限した円形をしており、その外周には避難場側周板２６と避難場手摺２７が設けられているとともに、屋上避難場２５には登り口２８が開けられまたこの登り口２８には第２中途踊り場２０から垂直に立設された避難梯子２９の上端が挿通固定されて登降できるようになっている。
【００１５】  尚、３１は一対の内側緩衝支柱で、下部は設置基盤１内に埋設固定される一方上部は第１踊り場前板１１に一体の前受台１４に溶接固定されている。この内側緩衝支柱３１は設置基盤１内において支柱２に対し地中梁３２で連結固定されている。
【００１６】  ３５は外側緩衝支柱で、設置基盤１の押し波襲来側Ｘと引き波襲来側−Ｘとに対応して前後に位置するように垂直に立設されている。
３６は屋上ポールで、屋上避難場２５の中央に基部を固定して垂直に高く立設されたもので、図１の実施形態の場合は、鯉のぼり３７が掲揚式に設けられている。このポール３６の上端には、避雷針３８を設けたり、または図１の上端左欄のような落雷抑制型避雷針ＰＤＣＥ（（株）落雷抑制システムズ）３９を備え付けてもよい。
【００１７】  仮想線で示す４２は避難部屋構成シート体で、屋上避難場２５上に張設できることにより避難者に対し雨・雪や風除け可能にしヒーター（ソーラー駆動式でもよい）や室内点灯など必要設備を備えるものとする。また、避難者を護る手段として、屋上避難場２５の下側の空間を遮蔽し防護する布・シート・ビニールなどによる上部外周遮蔽シート４４を設けて避難者が風などに対して防寒対策ができるようにし、さらにその下側の中部外周遮蔽シート４５を設けてもよい。
【００１８】  下部踏板４…には蹴込み板を付して下方からの風除けにするが、例えば、図１に破線４６で示す部分には簡易式開閉扉を設けて登降は可能であるようにしそれが平時・避難時の風除けになるようにする。
４８は遠隔操作型防犯カメラで、広く見渡せる高い避難場手摺２７の周部に複数基配備して近隣を防犯上確認できるようにしてある。
４９は取付ブラケットで、スピーカー５０や広告板５１の他に文字絵柄表示ネオン５２などが取り付けられている。
文字絵柄表示ネオン５２の他に、屋上避難場２５と設置基盤１との間に斜めに張設された牽きワイヤ５４の回りにライン発光型ネオン５５を設けることもできる。
５８は救助ケージで、第２中途踊り場２０に備えたラチェット付き巻取りウインチ（図示省略）により地上からの避難者を乗せて同踊り場２０まで巻き上げ救助するためのものである。踊り場２０が広いことにより救助作業しやすく巻き上げられた人も安全に踊り場２０に救助されるものである。この救助場所は第１中途踊り場１０であったり屋上避難場２５であったりする。
【００１９】  図５は他の実施形態を示す。この実施形態の津波避難用装置は、第２中途踊り場２０より上に続く登降部として、避難梯子２９でなく最上部ラセン階段６０を構成し、その上に図５の右上欄のような平坦面矩形状をした屋上避難場６５を備えたものである。最上部ラセン階段６０は、１２／１６周分の最上部踏板６１と最上部側周板６２および最上部手摺６３で構成されている。屋上避難場６５は、上からみてコの字型をした避難場側周板６６と避難場手摺６７とを備えている。
屋上ポール６９には日の丸国旗７０が掲揚式に設けられている。国旗７０の他に大漁旗７１とか社旗７２などを掲揚式とすることもできる。
また、７４は取付架台で、この架台７４を介して電力線や電話線、光ファイバーなどの電通線７５…を架設することもできる。
その他、図１と同じ符号を付した部分については同様の構成となっている。
【００２０】  図６は他の実施形態を示す。図５のような津波避難用装置に設けられるポール８０に避雷針８１を備える場合、雷電圧により避難者が被害を受けないようにできるだけ離間して配したものであり、８２…は避難場側周板６６や避難場手摺６７それに第２中途踊り場２０の手摺２２や側周板２１などに上下直列になるように配備した絶縁型のポールブラケットで、これらブラケット８２…を介して前記ポール８０を差し込み避難部から離れた外側に位置するように固定配置してある。８３はアース端子箱である。
【００２１】  図７は他の実施形態を示す。図７は屋上避難場８５に避難屋根８６を設けるに当たって屋根８６にポール８７を通すことなくそのポール８７を邪魔でない屋上手摺８８外周部を介して立設したものである。８９はポール受筒である。また、この屋上避難場８５には支柱９０が突き抜けて設けられることがあるが、この支柱９０には、津波が想定以上に高くなった際に上へ伸びる伸長パイプ９１を備えておくことができ、この場合、補助ステップ９２を備え付けておくことでより高いところまで避難し得るものとなる。９３は止着具である。
【００２２】  図８および図９は他の実施形態を示す。津波避難用装置の外側緩衝支柱３５のさらに前方および後方には、補助緩衝支柱９５…を立設しておき、これらの支柱３５，９５間を介してテント屋根９６を張設して雨風を防ぐようにすることによりその下方スペースに簡易市場を作ったりあるいは子供の遊び場に利用できるようにしたものである。
【００２３】  図１０は他の実施形態を示す。津波避難用装置の上部（屋上避難場２５）周りには、屋根付き風除け蛇腹胴１００を取り付けて下向きに一杯に伸ばしてアンカー１０１で固定することで装置全体が密閉空間とされて雨風・雪に対応できるようにしたものである。下回りに対応して出入り扉シートを設けておくものとする。
【００２４】  図１１は他の実施形態を示す。津波避難用装置に設けられる広告看板１０３には縦軸回りに巻き込まれた風除け巻シート１０４を備えておき、このシート１０４を必要に応じて図矢印のように繰出して巻き付けることで装置内部空間を風除け可能な空間とすることができるようにしたものである。
【００２５】  図１２は付加的な提案例を示すもので、図において１１０は薩摩硫黄島、１１１は竹島であり、これらの島は鹿児島県の南方にあって約７３００年前に起こった壊滅的な破局噴火に伴って形成された鬼界カルデラ１１２のうちの北端の島であって海面１１３より突き出て残されたものである。鬼界カルデラ１１２の下方には海底マグマ１１５が存在して今なお海底における５か所において大量の熱水噴出を観測していることが分かっている（神戸海洋海底探査センターによる）。またここに残された海底マグマ１１５は、富士山爆発時のフルパワーを１とした場合に約２２０倍の爆発噴火のパワーを秘めており非常に規模が強大で多数の人々の命が危ぶまれている。その一方においてそれを防ぐ方法は見つかっていない。
【００２６】  そこで、本出願人は、その対策方法を提案する。
図１２に示すように、海底には鬼界カルデラ１１２を含む海底地盤（プレート）１１７の底方に海底マグマ１１５が存在し、そのマグマ１１５を一部排除（抽出）すればマグマの絶対量が減量化して本格的な爆発噴火には至らないものと想定しその排除のためには図のように「ちきゅう号」１１６を利用させて戴き、そのドリリングと抜き出し作業を通じて行うようにすることを提案する。しかし、ドリリングを行うにも鬼界カルデラ１１２などには堅い岩盤１１８…が広い範囲に分散している関係で困難であることも想定され、そこで、図１２のように海底マグマ１１５に遠方においで繋がるマグマ穴道１２０のうちその上方岩盤が比較的柔らかい質である個所を探査してそこを通じてドリリングしマグマの一部排除を行うようにすることが好ましいとする。
【００２７】  図１３は地盤（プレート）（海底を含む）１２５に大きな穴を開けて内部のマグマ１２６の一部を排除する一つの方法を示すもので、例えば、大きい直径のドリリング円１２７を設定し、その円に沿って多数のドリル１２８…を打ち込んでゆき最終的に一つの円１２７として繋がるようにして岩盤１２５を打ち抜くようにして内部のマグマ１２６を排除するようにする。岩盤１２５を打ち抜く際にはマグマ１２６側からの上方への圧力が作用するもとで容易に打ち抜きができるものである。ここで、図１４に示すように、ドリル１２８…を打ち込むのが地上に都市部を抱えている場合には、斜め打ち込み工法を採るものとする。
【符号の説明】
【００２８】  １…設置基盤  ２…支柱  ３…下部ラセン階段  １０…第１中途踊り場  １５…上部ラセン階段  ２０…第２中途踊り場  ２５…屋上避難場。
【図１】
2018115540.tif 000003
【図２】
2018115540.tif 000004
【図３】
2018115540.tif 000005
【図４】
2018115540.tif 000006
【図５】
2018115540.tif 000007
【図６】
2018115540.tif 000008
【図７】
2018115540.tif 000009
【図８】
2018115540.tif 000010
【図９】
2018115540.tif 000011
【図１０】
2018115540.tif 000012
【図１１】
2018115540.tif 000013
【図１２】
2018115540.tif 000014
【図１３】
2018115540.tif 000015
【図１４】
2018115540.tif 000016